(57)【特許請求の範囲】
【請求項１】
長径方向と短径方向とを有する細長形の動電型スピーカーであって、
ボイスコイルを磁気回路の磁気空隙に振動可能に配置するダンパーと、該磁気回路を固定するフレームと、該ボイスコイルに導通する錦糸線と、該ダンパーを該磁気回路に固定された該フレームに対して固着するダンパー台と、を備え、
該長径方向と該短径方向とを有する細長形の該ダンパーが、該長径方向の外周端に該ダンパー台に固着される固定部を有し、
該長径方向と該短径方向とを有する細長形の枠体を有する該ダンパー台が、該ダンパーの該固定部が固着される長径側枠部と、該ダンパーの両側の短径側端部の間の長さよりも大きい内側寸法を有して離隔する短径側枠部と、を備え、
該錦糸線の中間部が、該ダンパー台の該枠体に固定される、
動電型スピーカー。
【請求項２】
前記ダンパー台の前記短径側枠部が、細長形の前記ダンパーの前記短径側端部との間に、前記錦糸線を整形する整形治具を挿入する治具挿入空隙を規定する、
請求項１に記載の動電型スピーカー。
【請求項３】
前記錦糸線が、前記ボイスコイルに固定される一方端と、前記ダンパー台の前記枠体に固定される前記中間部との間に、前記整形治具により整形される湾曲部を有し、該湾曲部を規定する円弧の頂点が、前記治具挿入空隙よりも前記短径方向の外側に位置するように整形されている、
請求項２に記載の動電型スピーカー。
【請求項４】
前記ダンパーが、前記ボイスコイルの振動する方向に離隔して設けられた複数の細長形のダンパーを含み、
前記ダンパー台が、該複数の細長形のダンパーをそれぞれ固定する複数のダンパー台を含み、該複数のダンパー台のそれぞれの細長形の前記枠体を重ね合わせて連結されている、
請求項１から３のいずれかに記載の動電型スピーカー。
【請求項５】
長径方向と短径方向とを有する細長形の動電型スピーカーの製造方法であって、
該長径方向と該短径方向とを有する細長形の該ダンパーを形成し、該長径方向の外周端に固定部を形成する工程と、
該ボイスコイルに錦糸線の一端を導通させて、かつ、該ボイスコイルのボビンに該錦糸線の一端を固定する工程と、
該長径方向と該短径方向とを有する細長形の枠体を有する該ダンパー台を形成し、該ダンパーの該固定部が固着される長径側枠部と、該ダンパーの両側の短径側端部の間の長さよりも大きい内側寸法を有して離隔する短径側枠部と、を形成する工程と、
フレームと、磁気回路とを固定する工程と、
該ボイスコイルを該磁気回路の磁気空隙に振動可能に配置するように、該ボイスコイルの該ボビンと該ダンパーの内周端とを固着し、該ダンパーの該固定部を該ダンパー台に固着し、該ダンパー台を該磁気回路に固定された該フレームに対して固着する工程と、
該錦糸線の中間部を、該ダンパー台の該枠体に固定する工程と、を含む、
動電型スピーカーの製造方法。
【請求項６】
前記錦糸線の前記中間部を、前記ダンパー台の前記枠体に固定する工程において、該ダンパー台の前記短径側枠部と、該ダンパーの前記短径側端部との間に、前記錦糸線を整形する整形治具を挿入する治具挿入空隙を規定する工程をさらに含み、
該治具挿入空隙に整形治具を挿入して、該錦糸線の前記ボイスコイルに固定される一方端と、前記ダンパー台の前記枠体に固定される前記中間部との間に、前記整形治具により整形される湾曲部を形成する工程と、
該湾曲部を規定する円弧の頂点が、前記治具挿入空隙よりも前記短径方向の外側に位置するように、該錦糸線を整形して該整形治具を抜去する工程と、
をさらに含む、
請求項５に記載の動電型スピーカーの製造方法。
【請求項７】
前記ダンパーが、前記ボイスコイルの振動する方向に離隔して設けられた複数の細長形のダンパーを含み、前記ダンパー台が、該複数のダンパーをそれぞれ固定する複数のダンパー台を含む場合に、
該複数のダンパー台を、それぞれの細長形の前記枠体を重ね合わせて連結する工程を含む、
請求項５または６に記載の動電型スピーカーの製造方法。
【発明の詳細な説明】
【技術分野】
【０００１】
本発明は、長径方向に比べて短径方向が短い細長形の動電型スピーカーであって、音声再生能力に優れ、ディスプレイ等の機器に取り付けるのに適する動電型スピーカー、および、その製造方法に関する。
【背景技術】
【０００２】
音声を再生するスピーカーを取り付けるディスプレイ等の音響機器においては、スピーカーを取り付けるのに要する空間を小型化することが要望されている。特に、細長形（矩形、長円形（楕円形、トラック形を含む））の動電型スピーカーは、短径方向に振動板面積が限られる、細長形のスピーカー振動板に特有な分割振動の影響が大きくて平坦な再生音圧周波数特性を得ることが難しい、磁気空隙の磁束密度が高いスピーカー用磁気回路を採用しようとすると、磁気回路の幅がスピーカー振動板よりも広くなり小型化できない、といった様々な理由から音声再生能力において不利な点がある。したがって、従来には、これらの問題を解決するために様々なスピーカー振動板、スピーカー用磁気回路、および、これを用いた動電型スピーカーが提案されている。
【０００３】
例えば、従来には、磁気ギャップを有する磁気回路と、この磁気回路の上面に結合された楕円形，矩形形，長円形のいずれかの形状に形成されたフレームと、上記磁気ギャップにはまり込むボイスコイルを中心に結合すると共に周縁部が上記フレームの外周に結合された振動板と、上記ボイスコイルの中間部に内周部を結合すると共に長径方向の外周部をフレームに結合した楕円形，矩形形，長円形のいずれかの形状に形成されたダンパーからなるスピーカーがある（特許文献１）。このスピーカーは、上記構成とすることにより、ダンパーの面積を大きくし、柔軟度を大きくでき、また振幅も大きくとれる構造のダンパーとなるため、再生帯域が広く、歪みが低い高音質なスピーカーを提供することを目的にしている。
【０００４】
また、従来には、磁気ギャップを有する磁気回路と、この磁気回路の上面に結合された細長形のフレームと、上記磁気ギャップにはめ込まれたボイスコイルと、このボイスコイルに内周が結合され外周が上記フレームに結合された振動板と、内周が上記ボイスコイルに結合され外周が上記フレームの長径方向のみ結合されると共に長径方向の一方が他方より中心からの距離が短く設定されたダンパーと、このダンパーの長径方向の短く設定された側から引出されたボイスコイルの錦糸線とで構成されたスピーカーがある（特許文献２）。このスピーカーでは、ダンパーの錦糸線の引出した側を短くして振動系の重量バランスを均衡させてスピーカーへの大入力時の長径方向のローリングを抑制し、ボイスコイルのプレートとの接触を防止して異常音の発生を防止しようとしている（第１図、第２図）。
【０００５】
しかしながら、特許文献２に記載のスピーカーでは、長径方向の一方が他方より中心からの距離が短く設定された特殊なダンパーを使用しており、このダンパーの長径方向の短く設定された側から、ボイスコイルの錦糸線を引出していることで課題を解決しており、通常の細長形状のダンパーを使用することができないという問題がある。
【０００６】
また、特許文献１に記載のとおり、細長形の動電型スピーカーでは、ボイスコイルと外部接続用端子間を橋絡する錦糸線は、ダンパーの長径方向から引出されているものがあり、その結果、最低共振周波数が低いスピーカーにおいて、大入力を印加して振幅が大きくなると、長径方向のローリングが発生しボイスコイルがプレートに当たって異常音が発生するという問題が発生する場合がある。さらに、錦糸線がダンパーの長径方向から引出されている場合には、錦糸線が長くなり、その結果、錦糸線の跳躍運動が発生して、錦糸線がスピーカー振動板、ダンパー、ないし、フレームに接触して異音が生じ、動作不良を生じるという問題が発生する場合がある。特許文献３の図７および図８には、錦糸線の中間部を、ダンパーの貼り代部に固定するスピーカーが記載されている。
【０００７】
【特許文献１】特開平８−５１６９５号公報
【特許文献２】特開平１１−２７７９４号公報
【特許文献３】実開平２−８９６号公報
【発明の開示】
【発明が解決しようとする課題】
【０００８】
本発明は、上記の従来技術が有する問題を解決するためになされたものであり、その目的は、長径方向に比べて短径方向が短い細長形の動電型スピーカーであって、錦糸線がダンパーの長径方向から引出されているものであっても、製造が容易でローリング等が発生せずに品質が安定し、かつ、錦糸線がスピーカー振動板、等に接触して異音を生じるようなことのない動電型スピーカーを提供することにある。
【課題を解決するための手段】
【０００９】
本発明の動電型スピーカーは、長径方向と短径方向とを有する細長形の動電型スピーカーであって、ボイスコイルを磁気回路の磁気空隙に振動可能に配置するダンパーと、磁気回路を固定するフレームと、ボイスコイルに導通する錦糸線と、ダンパーを磁気回路に固定されたフレームに対して固着するダンパー台と、を備え、長径方向と短径方向とを有する細長形のダンパーが、長径方向の外周端にダンパー台に固着される固定部を有し、長径方向と短径方向とを有する細長形の枠体を有するダンパー台が、ダンパーの固定部が固着される長径側枠部と、ダンパーの両側の短径側端部の間の長さよりも大きい内側寸法を有して離隔する短径側枠部と、を備え、錦糸線の中間部が、ダンパー台の枠体に固定される。
【００１０】
好ましくは、本発明の動電型スピーカーは、ダンパー台の短径側枠部が、細長形のダンパーの短径側端部との間に、錦糸線を整形する整形治具を挿入する治具挿入空隙を規定する。
【００１１】
また、好ましくは、本発明の動電型スピーカーは、錦糸線が、ボイスコイルに固定される一方端と、ダンパー台の枠体に固定される中間部との間に、整形治具により整形される湾曲部を有し、湾曲部を規定する円弧の頂点が、治具挿入空隙よりも短径方向の外側に位置するように整形されている。
【００１２】
好ましくは、本発明の動電型スピーカーは、ダンパーが、ボイスコイルの振動する方向に離隔して設けられた複数の細長形のダンパーを含み、ダンパー台が、複数の細長形のダンパーをそれぞれ固定する複数のダンパー台を含み、複数のダンパー台のそれぞれの細長形の枠体を重ね合わせて連結されている。
【００１３】
また、本発明の動電型スピーカーの製造方法は、長径方向と短径方向とを有する細長形の動電型スピーカーの製造方法であって、長径方向と短径方向とを有する細長形のダンパーを形成し、長径方向の外周端に固定部を形成する工程と、ボイスコイルに錦糸線の一端を導通させて、かつ、ボイスコイルのボビンに錦糸線の一端を固定する工程と、長径方向と短径方向とを有する細長形の枠体を有するダンパー台を形成し、ダンパーの固定部が固着される長径側枠部と、ダンパーの両側の短径側端部の間の長さよりも大きい内側寸法を有して離隔する短径側枠部と、を形成する工程と、フレームと、磁気回路とを固定する工程と、ボイスコイルを磁気回路の磁気空隙に振動可能に配置するように、ボイスコイルのボビンとダンパーの内周端とを固着し、ダンパーの固定部をダンパー台に固着し、ダンパー台を磁気回路に固定されたフレームに対して固着する工程と、錦糸線の中間部を、ダンパー台の枠体に固定する工程と、を含む。
【００１４】
また、好ましくは、本発明の動電型スピーカーの製造方法は、錦糸線の中間部を、ダンパー台の枠体に固定する工程において、ダンパー台の短径側枠部と、ダンパーの短径側端部との間に、錦糸線を整形する整形治具を挿入する治具挿入空隙を規定する工程をさらに含み、治具挿入空隙に整形治具を挿入して、錦糸線のボイスコイルに固定される一方端と、ダンパー台の枠体に固定される中間部との間に、整形治具により整形される湾曲部を形成する工程と、湾曲部を規定する円弧の頂点が、治具挿入空隙よりも短径方向の外側に位置するように、錦糸線を整形して整形治具を抜去する工程と、をさらに含む。
【００１５】
好ましくは、本発明の動電型スピーカーの製造方法は、ダンパーが、ボイスコイルの振動する方向に離隔して設けられた複数の細長形のダンパーを含み、ダンパー台が、複数のダンパーをそれぞれ固定する複数のダンパー台を含む場合に、複数のダンパー台を、それぞれの細長形の枠体を重ね合わせて連結する工程を含む。
【００１６】
以下、本発明の作用について説明する。
【００１７】
本発明の動電型スピーカーは、磁気回路、スピーカー振動板、もしくは、フレームが長径方向と短径方向とを有する細長形の動電型スピーカーであって、ボビンに巻回されるボイスコイルを磁気回路の磁気空隙に振動可能に配置するダンパーと、磁気回路を固定するフレームと、ボイスコイルに導通する錦糸線と、ダンパーを磁気回路に対して固定されたフレームに固着するダンパー台と、を備えている。ダンパーは、長径方向と短径方向とを有する細長形であって、長径方向の外周端にダンパー台に固着される固定部を有し、長径方向と短径方向とを有する細長形の枠体を有するダンパー台に固着されている。また、ダンパー台は、ダンパーの固定部が固着される長径側枠部と、ダンパーの両側の短径側端部の間の長さよりも大きい内側寸法を有して離隔する短径側枠部と、を備えている。なお、長径方向とは、矩形、長円形、楕円形、あるいは、トラック形を含む細長形を規定する長軸が延びる方向であり、短径方向とは、長軸と直交する短軸が延びる方向である。
【００１８】
具体的には、ダンパーは、ボイスコイルの振動する方向に離隔して設けられた複数の細長形のダンパーを含んでいてもよく、ダンパー台が、複数の細長形のダンパーをそれぞれ固定する複数のダンパー台を含み、複数のダンパー台のそれぞれの細長形の枠体を重ね合わせて連結されていてもよい。例えば、細長形のダンパーは、ボイスコイルが振動する前後方向について、前側ダンパーおよび後側ダンパーからなる二段（ダブル）ダンパーであって、ダンパー台は、樹脂から成形された長方体状の枠体であり、前側ダンパーおよび後側ダンパーのそれぞれの固定部が、それぞれに対応して固定するダンパー台の長径側枠部に固着されればよい。複数のダンパー台を構成する細長形の枠体を重ね合わせて連結すれば、複数のダンパーのボイスコイルに対する固定位置が定まるので、製造工程を容易にすることができる。
【００１９】
ここで、本発明の長径方向に比べて短径方向細長形の動電型スピーカーは、錦糸線がダンパーの長径方向から引出されており、錦糸線の中間部が、ダンパー台の枠体の錦糸線固定部に固定される。一方端がボイスコイルのボビンに固定され、一方の他端がターミナルに固定される錦糸線は、短径方向から引き出す場合に比べて、長径方向から引出されることで長くなるので、ダンパー台の枠体にその中間部が固定されることで、同じく長径方向に長いダンパーや、他の構成部品と接触しないようにすることができる。したがって、本発明の動電型スピーカーは、錦糸線がスピーカー振動板、等に接触して異音を生じるようなことがない。
【００２０】
また、本発明の動電型スピーカーは、ダンパー台の短径側枠部が、ダンパーの両側の短径側端部の間の長さよりも大きい内側寸法を有して離隔するので、細長形のダンパーの短径側端部との間に、錦糸線を整形する整形治具を挿入する治具挿入空隙を規定し、その結果、整形治具を用いる製造工程において、容易に他の構成部品と接触しないように錦糸線を整形することができる。つまり、錦糸線のボイスコイルに固定される一方端と、ダンパー台の枠体に固定される中間部との間に、湾曲部を整形治具により整形し、湾曲部を規定する円弧の頂点が、治具挿入空隙よりも短径方向の外側に位置するようにして、錦糸線が長径方向に長いダンパーと、スピーカー振動板、等に接触するのを防止できる。
【００２１】
なお、本発明の動電型スピーカーの製造方法においては、整形治具を用いて錦糸線を整形し、ダンパー台の枠体にその中間部を固定するので、製造が容易でありながら、細長形のスピーカー振動板並びにダンパーを用いていても、振動系でのローリング等が発生せずに品質が安定する。したがって、錦糸線がダンパーの長径方向から引出されている動電型スピーカーであっても、異音の発生を抑制することができ、再生音質に優れる動電型スピーカーを実現できる。
【発明の効果】
【００２２】
長径方向に比べて短径方向が短い細長形の動電型スピーカーであって、錦糸線がダンパーの長径方向から引出されているものであっても、製造が容易でローリング等が発生せずに品質が安定し、かつ、錦糸線がスピーカー振動板、等に接触して異音を生じるようなことのない動電型スピーカーを提供することができる。
【発明を実施するための最良の形態】
【００２３】
長径方向に比べて短径方向が短い細長形の動電型スピーカーであって、錦糸線がダンパーの長径方向から引出されているものであっても、製造が容易でローリング等が発生せずに品質が安定し、かつ、錦糸線がスピーカー振動板、等に接触して異音を生じるようなことのない動電型スピーカーを提供するという目的を、長径方向と短径方向とを有する細長形のダンパーが、長径方向の外周端にダンパー台に固着される固定部を有し、長径方向と短径方向とを有する細長形の枠体を有するダンパー台が、ダンパーの固定部が固着される長径側枠部と、ダンパーの両側の短径側端部の間の長さよりも大きい内側寸法を有して離隔する短径側枠部と、を備え、錦糸線の中間部が、ダンパー台の枠体に固定されるようにすることにより、実現した。
【００２４】
以下、本発明の好ましい実施形態による動電型スピーカーおよびその製造方法について説明するが、本発明はこれらの実施形態には限定されない。
【実施例１】
【００２５】
図１および図２は、本発明の好ましい実施形態による動電型スピーカー１を説明する図である。図１（ａ）は、動電型スピーカー１を前面側から見た斜視図であり、図１（ｂ）は、動電型スピーカー１を背面側から見た斜視図である。また、図２（ａ）は、動電型スピーカー１のＯ−Ａ断面図であり、図２（ｂ）は、動電型スピーカー１のＢ−Ｂ’断面図である。なお、後述するように、動電型スピーカー１の一部の構造や、内部構造等は、省略している。また、点Ｏ−Ａを結ぶ直線（長軸）が延びる方向が長径方向であり、また、点Ｏ−Ｂ
を結ぶ直線（短軸）が延びる方向が短径方向である。
【００２６】
本実施例の動電型スピーカー１は、長径方向長Ｌ１が約２６２．５ｍｍ、短径方向長Ｌ２が約２５．５ｍｍのトラック形のスピーカー振動板２を有する細長形の動電型スピーカーであり、細長形であっても口径が約１３０ｍｍの円形振動板と同等の振動板面積を有するスピーカーである。スピーカー振動板２は、エッジ３によってその外周端を支持されており、エッジ３の外周端は、フレーム６に固定されている。また、スピーカー振動板２の背面側には、ボイスコイル４が連結しており、ダンパー５（前側ダンパー５ａおよび後側ダンパー５ｂ）により振動可能に支持されている。本実施例の場合には、ボイスコイル４のボイスコイル径は、約２０ｍｍである。また、フレーム６は、トラック形のスピーカー振動板２に対応した細長形状であり、フレーム６に固定される磁気回路１０も、短径方向長Ｌ２以下の幅が狭い細長形状を有している。したがって、動電型スピーカー１は、ディスプレイ等の機器が有する表示部の側面など、スピーカーを取り付ける幅が少ない機器に適するスピーカーである。
【００２７】
動電型スピーカー１のスピーカー振動板２は、その外周端にエッジ３の内周側が接着されており、また、中央背面にはボイスコイル４を構成する（図示しない）ボビン４ａが接着される。スピーカー振動板２は、スピーカー振動板の軽量化を図るために発泡させた熱可塑性樹脂を形成して構成されている。本実施例の場合には、押出成形された熱可塑性樹脂発泡シート（具体的には、ポリプロピレン）を、プラグアシスト成形を併用した真空成形法を用いることで、リブを有するスピーカー振動板２を得ている。すなわち、長径方向長Ｌ１と短径方向長Ｌ２が著しく異なる細長形のスピーカー振動板２は、長径方向の分割振動の影響が顕著になりやすいので、長径方向に延びるリブを有し、かつ、短径方向断面形状が略Ｗ字形になるようにして、長径方向に剛性を有する形状とされている。
【００２８】
エッジ３は、本実施例では、柔軟性を有する発泡ゴムを金型内に注入して加熱発泡して形成したものである。スピーカー振動板２の長径方向に直線状に延びるトラック形の長辺では、スピーカー振動板２を自由支持するように薄肉のコルゲーション（またはロール）によるフリーエッジが形成され、短径方向に円弧状になるトラック形の短辺では、スピーカー振動板２を固定支持するように厚肉で自由に振動しないフィックスドエッジが形成される。その結果、細長形のスピーカー振動板２は、短径方向ではエッジ３のフリーエッジ部のコンプライアンスで柔軟に支持される一方で、長径方向ではスピーカー振動板２を形成する熱可塑性樹脂の発泡シートの柔軟性によって、曲げ振動可能にされている。
【００２９】
ボイスコイル４は、円筒形に形成したボビン４ａと、その一端側に巻回されて音声電流が供給される（図示しない）コイル４ｂと、から形成される。ボビン４ａは、コイル４ｂが巻回されない他端側がスピーカー振動板２の背面中央に接着剤により連結される。コイル４ｂは、後述する磁気回路１０の円形の磁気空隙１３に配置される。なお、後述するように、錦糸線８は、フレーム６に固定されるターミナル７と、ターミナル７からコイル４ｂの引出線とを、ハンダづけして導通させて、コイル４ｂに音声電流を供給する。
【００３０】
ダンパー５は、前側ダンパー５ａおよび後側ダンパー５ｂからなる二段ダンパーであり、柔軟性を有する繊維の織布を基材としてフェノール樹脂を含浸して成形する円形のコルゲーションダンパーを切断して細長形状（トラック形）にしたものである。前側ダンパー５ａおよび後側ダンパー５ｂの内周端は、ボビン４ａの円筒外面側と連結してスピーカー振動板２の背面中央側を支持する。前側ダンパー５ａおよび後側ダンパー５ｂの外周端側は、後述する前側ダンパー台９ａおよび後側ダンパー台９ｂから構成されるダンパー台９を介してフレーム６の固定部に固定される。なお、ダンパー５は、他の形状のコルゲーションダンパーであっても、二段でなくても良く、また、他の材料で形成するものであってもよく、内周側リングと外周側リングを連結するアームを有し、金属または樹脂で形成する蝶ダンパーであっても、長径方向と短径方向とを有する細長形であって、長径方向の外周端にダンパー台に固着される固定部を有していればよい。
【００３１】
フレーム６は、スピーカー振動板２の形状に対応して細長形のバスケット状にプレス成型された鉄板フレームであり、エッジ３を固定する略矩形の固定部と、磁気回路１０を固定する固定部と、これらの固定部を連結する連結部と、複数の連結部の間に規定される窓と、ターミナル７を取り付ける取付孔と、を備える。ダンパー５ａおよび５ｂを固定するダンパー台９は、このフレーム６に固着される。したがって、スピーカー振動板２、エッジ３、ボイスコイル４、ダンパー５、および、ダンパー台９からなるスピーカー振動系は、フレーム６に対して振動可能に支持される。
【００３２】
ターミナル７は、スピーカー振動板２、ダンパー５、および、フレーム６のそれぞれの細長形における長径方向に設けられ、フレーム６の取付孔に取り付けられている。ターミナル７は、絶縁基体に固定される＋端子、−端子を有し、＋端子および−端子には、ダンパー５の長径方向から引出されている錦糸線８ａ、および、８ｂが、それぞれハンダづけされて固定されている。また、図２（ａ）の断面図に示すように、錦糸線８ａおよび８ｂは、ボイスコイル４とターミナル７との中間部が、ダンパー台９ａに固定されている。
【００３３】
磁気回路１０は、フレーム６に固定される細長形のトッププレート１１と、円筒形状であってトッププレート１１の中央に形成された円形孔に挿入されるセンターポール１２と、細長形のアンダープレート１４と、同一方向に着磁された２つの主マグネット１５ａおよび１５ｂと、から構成される。トッププレート１１およびセンターポール１２は、均等な幅を有する円形の磁気空隙１３を形成する。主マグネット１５ａおよび１５ｂは、トッププレート１１およびアンダープレート１４の間に狭持され、長径方向にセンターポール１２を中間にして対称配置される。２つの主マグネット１５ａおよび１５ｂは、外形が、細長形のトッププレート１１およびアンダープレート１４の形状に対応した略細長形状であり、センターポール１２に近接する中央側は、センターポール１２の円形形状に対応した円筒曲面を含む凹部が形成されている。なお、センターポール１２は、アンダープレート１４と一体に形成されていても良く、また、別ピースを接着剤で固着されていても良い。
【００３４】
本実施例の２つの主マグネット１５ａおよび１５ｂは、フェライト系磁石であり、残留磁化および保磁力がさらに大きく、小さい体積でも保磁力の強いＮｄ−Ｆｅ−Ｂ系の希土類磁石であってもよい。なお、希土類磁石とは、Ｎｄ−Ｆｅ−Ｂ系のネオジウム磁石、もしくは、Ｓｍ−Ｃｏ系のサマリウムコバルト磁石であって、磁石の最大エネルギー積（ＢＨ）ｍａｘが大きな値をとる磁石である。磁気回路１０は、ボイスコイル４のコイル４ｂを平面視した場合に投影する領域の外部に磁石が配置される外磁型磁気回路であり、かつ、保磁力の強い主マグネット１５ａおよび１５ｂが長径方向に配置されるので、本発明の動電型スピーカー１のような細長形のスピーカーに適する。磁気回路１０の最大幅を小さくすることができれば、細長形のスピーカー振動板２を前面視した場合に形成される領域内に磁気回路１０が収まるからである。したがって、軽量なスピーカー振動板２を採用することを含めて、能率の高い動電型スピーカー１が実現される。
【００３５】
ボイスコイル４のコイル４ｂに音声電流が供給されると、磁気空隙１３に配置されたボイスコイル４には駆動力が作用し、ボイスコイル４は図１（ａ）における上下方向に振動し、連結されたスピーカー振動板２も上下方向に振動する。スピーカー振動板２は、短径方向ではその外周端を支持するエッジ３のフリーエッジ部が柔軟に支持する。その一方で、長径方向ではスピーカー振動板２を形成する熱可塑性樹脂発泡シートの柔軟性によって曲げ振動可能になり、最低共振周波数ｆ０付近若しくはそれ以下の周波数でボイスコイル４が大きく変位する場合には、長径方向の両端を固定されたスピーカー振動板２は、長径方向に弓状に曲がって変形する。
【００３６】
本実施例の磁気回路１０の長径方向には２つの主マグネット１５ａおよび１５ｂが配置されている一方で、短径方向には磁力を発生するマグネット（磁石）が配置されないので、その結果、磁気回路１０は、全体形状が細長形になり、その短径方向に磁気空隙に連通する開放窓部１６を有する。２つの主マグネット１５ａおよび１５ｂは、長径方向にセンターポール１２を点対称の中点にして、つまり、センターポール１２を中間にして対称配置されており、主マグネット１５ａと、センターポール１２と、もう一方の主マグネット１５ｂが長径方向に並ぶ様になる。そして、短径方向から磁気回路１０を側面視すると、マグネット１５ａおよび１５ｂが配置されない開放窓部１６が形成されており、センターポール１２の円筒側面を直接視できる程度の孔が形成されている。具体的には、開放窓部１６は、トッププレート１１、２つ主マグネット１５ａおよび１５ｂ、および、アンダープレート１４により規定される。なお、磁気空隙１３に鉄粉等の異物が侵入するのを防止するように、開放窓部１６を通気性のある不織布等で覆っても良い。
【００３７】
また、磁気回路１０は、円形の磁気空隙１３が半径方向に均等な幅を有するものであっても、磁束密度分布が長径方向と短径方向において異なり、略円筒形状主マグネット１５ａおよび１５ｂと、円形の磁気空隙１３が最も接近する長径方向では極めて強い磁束密度を生じ、長径方向での磁束密度が短径方向での磁束密度よりも高くなる。円形の磁気空隙１３での円周方向の磁束密度分布が、長径方向と短径方向とで異なるので、スピーカー振動板２を駆動する駆動力も長径方向と短径方向とで異なるようにでき、再生周波数特性のピーク・ディップを低減することができる。
【００３８】
図３は、動電型スピーカー１の振動系の組立部品を説明する図である。すなわち、図３（ａ）は、動電型スピーカー１の振動系を構成するボイスコイル４と、ダンパー５と、ダンパー台９と、錦糸線８とからなる予備組立部品の斜視図であり、図３（ｂ）は、この予備組立部品の平面図である。動電型スピーカー１の製造工程においては、振動系の予備組立部品を（図示しない）治具上で組み立てておき、予め接着固定したフレーム６および磁気回路１０にこの振動系の予備組立部品を載置して、そのダンパー台９を固定すれば、コイル４ｂを磁気回路１０の磁気空隙１３に配置することができる。また、上述の通り、ボビン４ａの上方端が、スピーカー振動板２の中央背面に接着される。
【００３９】
なお、本実施例では、前側ダンパー５ａおよび後側ダンパー５ｂは、共通のダンパーを２つ用いているので、前側ダンパー５ａの説明と共通する後側ダンパー５ｂの説明は、省略する。もちろん、前側ダンパー５ａおよび後側ダンパー５ｂは、材料ならびにスティフネスが異なるものであっても良い。同様に、本実施例では、前側ダンパー台９ａおよび後側ダンパー台９ｂは、共通のダンパー台を２つ用いているので、前側ダンパー台９ａの説明と共通する後側ダンパー台９ｂの説明は、省略する。
【００４０】
前側ダンパー５ａおよび後側ダンパー５ｂの内径端には、ボイスコイル４のボビン４ａの円筒外側曲面が嵌合して接着される。また、長径方向と短径方向とを有する細長形の前側ダンパー５ａおよび後側ダンパー５ｂは、それぞれ長径方向の外周端に前側ダンパー台９ａおよび後側ダンパー台９ｂに固定される固定部５ａｘならびに（図示しない）５ｂｘを有し、それぞれ接着剤で固定される。そして、前側ダンパー台９ａおよび後側ダンパー台９ｂを重ね合わせて連結することで、ダブルダンパーからなる動電型スピーカー１の振動系の予備組立部品が構成される。
【００４１】
前側ダンパー５ａおよび後側ダンパー５ｂは、外径直径が約６０．０ｍｍの円形のコルゲーションダンパーを切断して細長形状（トラック形）にしたものであるので、図５（ｂ）に示す平面図において直線部を規定する短径側端部５ａｙおよび５ｂｙには、図５（ａ）の斜視図に示すように、ダンパーのコルゲーションの凹凸が出現する。また、前側ダンパー台９ａおよび後側ダンパー台９ｂは、例えば、ＡＢＳ樹脂から形成された長径方向と短径方向とを有する細長形の枠体であり、前側ダンパー５ａの固定部５ａｘが固着される長径側枠部９ａｘと、前側ダンパー５ａの両側の短径側端部５ａｙの間の長さよりも大きい内側寸法を有して離隔する短径側枠部９ａｙと、を有する。例えば、本実施例の前側ダンパー５ａの両側の短径側端部５ａｙの間の長さ（つまり、前側ダンパー５ａの短径方向の幅）が約２６．０ｍｍの場合には、前側ダンパー台９ａの両側に離隔する短径側枠部９ａｙの内側寸法は、短径側端部５ａｙよりも大きい約２９．０ｍｍである。したがって、この振動系の予備組立部品では、前側ダンパー台９ａの短径側枠部９ａｙと、前側ダンパー５ａの短径側端部５ａｙとの間に、幅１．５ｍｍの空隙２０が、短径側端部５ａｙに沿って前側ダンパー５ａの両側に形成される。後述するように、この空隙２０は、錦糸線８ａおよび８ｂを整形する整形治具ＪｇａおよびＪｇｂを挿入する治具挿入空隙２０として機能する。
【００４２】
図３に図示する振動系の予備組立部品では、ボイスコイル４のコイル４ｂに導通する錦糸線８ａおよび８ｂが、動電型スピーカー１として組み立てて動作する際に他の構成部品と接触して異音を発生しないように、その中間部が予め整形されて固定される。具体的には、錦糸線８ａおよび８ｂのそれぞれの中間部８ａｘおよび８ｂｘが、前側ダンパー台９ａの長径側枠部９ａｘに形成される平面である錦糸線固定部に接着剤で固定されて、錦糸線８ａおよび８ｂをダンパー５の長径方向から引出すようにする。また、図示するように、錦糸線８ａおよび８ｂは、ボイスコイル４にハンダ付けおよび接着剤で固定される一方端と、前側ダンパー台９ａの長径側枠部９ａｘに接着剤で固定される中間部８ａｘおよび８ｂｘとの間に、円弧の頂点８ａｙおよび８ｂｙを含む湾曲部を有するように、整形治具により整形されている。つまり、錦糸線８ａおよび８ｂは、それらの湾曲部を規定する円弧の頂点８ａｙおよび８ｂｙが、治具挿入空隙２０よりも短径方向の外側に位置するように整形されている。なお、錦糸線８ａおよび８ｂのターミナル側の端部は、省略して図示されており、錦糸線８ａおよび８ｂは、ターミナル７の＋端子および−端子にそれぞれハンダづけされて、導通するように固定されている。
【００４３】
したがって、この振動系の予備組立部品を用いることにより、動電型スピーカー１の製造方法が簡略化されて工数が減少し、コストダウンが可能になるだけでなく、錦糸線８ａおよび８ｂをダンパー５の長径方向から引出すようにしても、ローリング等が発生せずに品質が安定し、かつ、錦糸線８ａおよび８ｂがスピーカー振動板２、等に接触しないようにして、異音の発生を抑制することができる。振動系の予備組立部品は、ボイスコイル４を前側ダンパー５ａおよび後側ダンパー５ｂのそれぞれの内周側で振動可能に支持し、かつ、前側ダンパー５ａおよび後側ダンパー５ｂの外周側が相互に連結する前側ダンパー台９ａおよび後側ダンパー台９ｂに固定されているので、磁気回路１０の磁気空隙１３におけるコイル４ｂが安定して振動することができ、さらに、錦糸線８ａおよび８ｂも、他の構成部品に接触しないように振動することができるからである。
【００４４】
図４は、動電型スピーカー１の振動系の製造方法の一部を説明する図である。図４（ａ）は、動電型スピーカー１の振動系の予備組立部品の長軸方向断面を説明するＡ−Ａ’断面図であり、図４（ｂ）は、この予備組立部品の平面図であり、それぞれ製造工程で用いる整形治具Ｊｇａ、ＪｇｂおよびＪｇｃを含む図である。すなわち、細長形の動電型スピーカー１の製造方法は、長径方向と短径方向とを有する細長形のスピーカー振動板２およびエッジ３、錦糸線８ａおよび８ｂの一端をコイル４ｂに導通させてボビン４ａに固定するボイスコイル４、長径方向の外周端に固定部を有する細長形のダンパー５、もしくは、細長形のフレーム６、細長形の枠体を有するダンパー台９、等の構成部品をそれぞれ製造する工程の他に、以下に説明する振動系の予備組立部品を組み立てる工程を含む。
【００４５】
図４に示すように、ボイスコイル４のボビン４ａと前側ダンパー５ａおよび後側ダンパー５ｂの内周端とを接着剤で固着し、前側ダンパー５ａおよび後側ダンパー５ｂの固定部５ａｘおよび（図示しない）５ｂｘを前側ダンパー台９ａおよび後側ダンパー台９ｂのそれぞれの長径側枠部９ａｘおよび９ｂｘに接着剤で固着する。前側ダンパー台９ａおよび後側ダンパー台９ｂは、それぞれの細長形の枠体を重ね合わせて連結される。そして、一端をボイスコイル４のボビン４ａに固定される錦糸線８ａおよび８ｂは、それぞれ、交叉する整形治具ＪｇａならびにＪｇｃ、および、交叉する整形治具ＪｇｂならびにＪｇｃを用いて、これらの整形治具の組に沿う形状に整形された上で、その中間部８ａｘおよび８ｂｘを、前側ダンパー台９ａの長径側枠部９ａｘに接着剤で固定される。
【００４６】
整形治具ＪｇａおよびＪｇｂは、細い丸棒であって、短径側端部５ａｙに沿って前側ダンパー５ａの両側に形成される治具挿入空隙２０にそれぞれ挿入される。つまり、整形治具ＪｇａおよびＪｇｂは、治具挿入空隙２０の幅とほぼ同等の直径を有しており、錦糸線８ａおよび８ｂのそれぞれに、治具挿入空隙２０よりも短径方向の外側に位置する円弧の頂点８ａｙおよび８ｂｙを含む湾曲部を形成することができる。一方で、また、整形治具Ｊｇｃは、断面が略直方体の棒状の部材であり、前側ダンパー５ａの上面側に載置されて、前側ダンパー５ａと錦糸線８ａおよび８ｂとを離隔させる。したがって、錦糸線８ａおよび８ｂは、整形治具ＪｇａおよびＪｇｂのそれぞれの外側であって、交叉する整形治具Ｊｇｃの上側を回り込むようにして長径方向に引き出されて、中間部８ａｘおよび８ｂｘを前側ダンパー台９ａの長径側枠部９ａｘに接着剤で固定され、その結果、スピーカー振動板２の側に膨らみを有し、かつ、治具挿入空隙２０よりも短径方向の外側に膨らむ湾曲部を有しており、湾曲部の円弧の頂点８ａｙおよび８ｂｙが治具挿入空隙２０よりも短径方向の外側に位置する形状に整形される。
【００４７】
錦糸線８ａおよび８ｂの中間部８ａｘおよび８ｂｘを、前側ダンパー台９ａの長径側枠部９ａｘに接着剤で固定するのに際して、錦糸線８ａおよび８を仮固定する（図示しない）切欠を使用してもよい。切欠は、前側ダンパー台９ａの長径側枠部９ａｘに設けてあればよく、錦糸線８ａおよび８ｂを引っかけて、ダンパー５の長径方向から引出すようにできる。整形治具Ｊｇａ、ＪｇｂおよびＪｇｃは、錦糸線８ａおよび８ｂのそれぞれの中間部８ａｘおよび８ｂｘを固定する接着剤が固化した段階で抜去すればよいが、切欠を用いて錦糸線８ａおよび８ｂを仮固定する場合には、接着剤が半ば固化した段階で早く整形治具を抜去することができる。
【００４８】
整形治具Ｊｇａ、ＪｇｂおよびＪｇｃを抜去した後には、錦糸線８ａおよび８ｂは、前側ダンパー５ａを含む他の構成部品に接触しないように整形されている。したがって、錦糸線８ａおよび８ｂの中間部８ａｘおよび８ｂｘを、前側ダンパー台９ａの長径側枠部９ａｘに接着剤で固定した動電型スピーカー１の振動系の予備組立部品は、その後側ダンパー台９ｂを、フレーム６を固定した磁気回路１０に対して固着することで、ボイスコイル４のコイル４ｂを容易に磁気空隙１３に配置することができる。
【００４９】
もちろん、ボイスコイル４を磁気空隙１３に配置する場合には、磁気空隙１３に挿入する治具であるボイスコイルホルダを併用しても良い。予備組立部品を磁気回路１０とは別に予備的に組み立てる場合の他にも、フレーム６を固定した磁気回路１０に対して、ボイスコイルホルダを使用して、錦糸線８ａおよび８ｂを含むボイスコイル４、後側ダンパー台９ｂおよび後側ダンパー５ｂ、前側ダンパー台９ａおよび前側ダンパー５ａ、を順番に組み立てて、錦糸線８ａおよび８ｂを整形しても良い。
【００５０】
整形治具ＪｇａおよびＪｇｂは、上記の形状の部材に限られず、錦糸線８ａおよび８ｂの湾曲部の円弧の頂点８ａｙおよび８ｂｙが、治具挿入空隙２０よりも短径方向の外側に位置する形状にできるように、治具挿入空隙２０に挿入可能なものであればよい。また、前側ダンパー５ａの両側に形成される治具挿入空隙２０は、前側ダンパー５ａの形状によって直線状である場合に限られない。前側ダンパー台９ａの短径側枠部９ａｙに、整形治具ＪｇａおよびＪｇｂの挿入位置を規定する嵌合部を有していても良い。整形治具Ｊｇｃについても、整形治具ＪｇａおよびＪｇｂと分離している必要はなく、錦糸線８ａおよび８ｂの湾曲部を立体的に整形できて、挿入ないし抜去が容易なものであればよい。
【００５１】
なお、本実施例の動電型スピーカー１は、他のボイスコイル径に対応した異なる寸法のダンパーを有するものであっても良い。また、動電型スピーカー１は、トラック形のスピーカー振動板に限らず、楕円形、長円形、長方形、矩形といった長径寸法と短径寸法との比が大きい細長形の動電型スピーカーであればよい。
【産業上の利用可能性】
【００５２】
本発明の動電型スピーカーは、ディスプレイ等の映像・音響機器に内蔵するスピーカーとしてのみならず、音声を再生するスピーカーを内蔵するキャビネットを有するゲーム機、スロットマシン等の遊戯機にも適用が可能である。また、本発明の動電型スピーカーは、全幅が狭く、小型・薄型のキャビネットで音声を再生するスピーカーシステムが実現できるので、設置空間が限定される車両用のスピーカーに特に適する。
【図面の簡単な説明】
【００５３】
【図１】本発明の好ましい実施形態による動電型スピーカー１を説明する図である。（実施例１）
【図２】本発明の好ましい実施形態による動電型スピーカー１を説明する図である。（実施例１）
【図３】本発明の好ましい実施形態による動電型スピーカー１の振動系の組立部品を説明する図である。（実施例１）
【図４】本発明の好ましい実施形態による動電型スピーカー１の振動系の製造方法の一部を説明する図である。（実施例１）
【符号の説明】
【００５４】
１        動電型スピーカー
２        スピーカー振動板
３        エッジ
４        ボイスコイル
５ａ      前側ダンパー
５ｂ      後側ダンパー
６        フレーム
７        ターミナル
８ａ、８ｂ  錦糸線
９ａ      前側ダンパー台
９ｂ      後側ダンパー台
１０      磁気回路
１１      トッププレート
１２      センターポール
１３      磁気空隙
１４      アンダープレート
１５ａ、１５ｂ  主マグネット
１６      開放窓部
２０      治具挿入空隙
Ｊｇａ、Ｊｇｂ、Ｊｇｃ      整形治具
【図１】
0004587082.tif 000002
【図２】
0004587082.tif 000003
【図３】
0004587082.tif 000004
【図４】
0004587082.tif 000005